(57)【要約】【課題】探索された経路に、入口料金所および出口料金所の少なくとも一方が特定されていない始端部および終端部の少なくとも一方が有料道路上の地点となるような有料道路が含まれている場合においても、通行料金を算出してユーザに提示することができる「車載用ナビゲーション装置」を提供すること。【解決手段】 探索経路に料金所不特定有料道路が含まれている場合には、通行料金算出装置２８により、料金所不特定有料道路に対してその特定されていない料金所側の位置に存在する料金所を代替料金所と決定した上で、地図データにおける決定された代替料金所に関する情報を料金所不特定有料道路の通行料金の算出に用いること。【選択図】図１
2010256071.tif 000002
【特許請求の範囲】
【請求項１】
有料道路の入口料金所に関する情報および前記有料道路の出口料金所に関する情報を含む地図データが記憶された地図データ記憶装置と、
前記有料道路の通行料金を示す通行料金情報が前記入口料金所に関する情報および前記出口料金所に関する情報と対応した状態で記憶された通行料金情報記憶装置と、
自車位置を検出する自車位置検出装置と、
目的地を設定する目的地設定装置と、
前記自車位置検出装置によって検出された前記自車位置から前記目的地設定装置によって設定された前記目的地までの経路を前記地図データ記憶装置に記憶されている前記地図データに基づいて探索する経路探索装置と、
この経路探索装置によって探索された前記経路に有料道路が含まれている場合に、前記地図データ記憶装置に記憶されている当該有料道路の前記入口料金所に関する情報、前記出口料金所に関する情報およびこれらの情報に対応する前記通行料金情報記憶装置に記憶されている前記通行料金情報に基づいて、当該有料道路の通行料金を算出する通行料金算出装置と、
この通行料金算出装置によって算出された前記通行料金をユーザに提示する通行料金提示装置と
を備えた車載用ナビゲーション装置であって、
前記通行料金算出装置は、
前記経路探索装置によって探索された前記経路に、入口料金所および出口料金所の少なくとも一方が当該経路上において特定されていないような有料道路であって、その始端部および終端部の少なくとも一方が有料道路上の地点となるような有料道路である料金所不特定有料道路が含まれている場合には、前記料金所不特定有料道路に対してその特定されていない料金所側の位置に存在する料金所を、前記料金所不特定有料道路における特定されていない料金所に代替する代替料金所と決定した上で、前記地図データ記憶装置に記憶されている前記地図データにおける前記決定された前記代替料金所に関する情報を、前記料金所不特定有料道路の通行料金の算出に用いること
を特徴とする車載用ナビゲーション装置。
【請求項２】
前記通行料金算出装置は、
前記目的地設定装置によって設定された前記目的地が有料道路上の地点であることによって、前記経路探索装置によって探索された前記経路に、前記料金所不特定有料道路として、当該経路上において入口料金所が特定されているとともに出口料金所が特定されていないような前記目的地を終端部とした有料道路である出口料金所不特定有料道路が含まれている場合には、この出口料金所不特定有料道路に対して下流側の位置に存在する当該出口料金所不特定有料道路に最も近い出口料金所を、前記代替料金所としての前記出口料金所不特定有料道路における特定されていない出口料金所に代替する代替出口料金所と決定した上で、前記地図データ記憶装置に記憶されている前記地図データにおける前記出口料金所不特定有料道路の入口料金所に関する情報、前記決定された前記代替出口料金所に関する情報およびこれらの情報に対応する前記通行料金情報記憶装置に記憶されている前記通行料金情報に基づいて、前記出口料金所不特定有料道路の通行料金を算出すること
を特徴とする請求項１に記載の車載用ナビゲーション装置。
【請求項３】
前記目的地としての前記有料道路上の地点は、当該有料道路上の施設であること
を特徴とする請求項２に記載の車載用ナビゲーション装置。
【請求項４】
前記有料道路上の施設は、パーキングエリアであること
を特徴とする請求項３に記載の車載用ナビゲーション装置。
【請求項５】
前記有料道路上の施設は、パーキングエリア内の特定の施設であること
を特徴とする請求項３に記載の車載用ナビゲーション装置。
【請求項６】
前記有料道路上の施設は、サービスエリアであること
を特徴とする請求項３に記載の車載用ナビゲーション装置。
【請求項７】
前記有料道路上の施設は、サービスエリア内の特定の施設であること
を特徴とする請求項３に記載の車載用ナビゲーション装置。
【請求項８】
前記通行料金提示装置は、
前記通行料金算出装置によって算出された前記出口料金所不特定有料道路の通行料金を、前記出口料金所不特定有料道路を含む前記経路に沿って前記目的地に赴く場合に課される料金の最低額を示す態様で提示すること
を特徴とする請求項２乃至請求項７のいずれか１項に記載の車載用ナビゲーション装置。
【請求項９】
前記経路探索装置の探索結果を、経路誘導の対象の候補として表示部に表示する第１の探索結果表示装置を備え、
前記通行料金提示装置は、
前記通行料金算出装置の算出結果を、前記第１の探索結果表示装置によって表示される前記経路探索装置の探索結果と対応させた状態で当該探索結果とともに表示することにより、前記通行料金算出装置の算出結果を提示し、その際に、前記経路探索装置によって探索された前記経路に前記出口料金所不特定有料道路が含まれている場合には、前記出口料金所不特定有料道路の通行料金を、当該経路に沿って前記目的地に赴く場合に課される料金の最低額を示す表示態様で表示すること
を特徴とする請求項８に記載の車載用ナビゲーション装置。
【請求項１０】
前記通行料金算出装置は、
自車両が入口料金所を通って有料道路に進入した際に、当該入口料金所の識別情報を保持する第１の入口料金所情報保持装置を備え、
前記目的地設定装置による前記目的地の設定にともなう前記経路探索装置による前記経路の探索が有料道路上の地点において行われたことによって、当該経路に、前記料金所不特定有料道路として、当該経路上において出口料金所が特定されているとともに入口料金所が特定されていないような前記経路の探索が行われた前記地点を始端部とした有料道路である入口料金所不特定有料道路が含まれている場合には、前記入口料金所不特定有料道路に対して上流側の位置に存在する前記第１の入口料金所情報保持装置によって前記識別情報が保持されている入口料金所を、前記代替料金所としての前記入口料金所不特定有料道路における特定されていない入口料金所に代替する代替入口料金所と決定した上で、前記地図データ記憶装置に記憶されている前記地図データにおける前記決定された前記代替入口料金所に関する情報、前記入口料金所不特定有料道路の出口料金所に関する情報およびこれらの情報に対応する前記通行料金情報記憶装置に記憶されている前記通行料金情報に基づいて、前記入口料金所不特定有料道路の通行料金を算出すること
を特徴とする請求項１乃至請求項９のいずれか１項に記載の車載用ナビゲーション装置。
【請求項１１】
前記通行料金算出装置は、
自車両が入口料金所を通って有料道路に進入した際に、当該入口料金所の識別情報を保持する第２の入口料金所情報保持装置を備え、
前記目的地設定装置によって設定された前記目的地が有料道路上の第１の地点であり、かつ、この第１の地点を目的地とした前記経路探索装置による前記経路の探索が有料道路上の第２の地点において行われたことによって、当該経路に、前記料金所不特定有料道路として、当該経路上において入口料金所および出口料金所の双方が特定されていないような前記第２の地点を始端部とするとともに前記第１の地点を終端部とした有料道路である出入口料金所不特定有料道路が含まれている場合には、前記出入口料金所不特定有料道路に対して上流側の位置に存在する前記第２の入口料金所情報保持装置によって前記識別情報が保持されている入口料金所を、前記代替料金所としての前記出入口料金所不特定有料道路における特定されていない入口料金所に代替する代替入口料金所と決定し、かつ、前記出入口料金所不特定有料道路に対して下流側の位置に存在する当該出入口料金所不特定有料道路に最も近い出口料金所を、前記代替料金所としての前記出入口料金所不特定有料道路における特定されていない出口料金所に代替する代替出口料金所と決定した上で、前記地図データ記憶装置に記憶されている前記地図データにおける前記決定された前記代替入口料金所に関する情報、前記決定された前記代替出口料金所に関する情報およびこれらの情報に対応する前記通行料金情報記憶装置に記憶されている前記通行料金情報に基づいて、前記出入口料金所不特定有料道路の通行料金を算出すること
を特徴とする請求項１に記載の車載用ナビゲーション装置。
【請求項１２】
前記第１の地点は、有料道路上の施設であること
を特徴とする請求項１１に記載の車載用ナビゲーション装置。
【請求項１３】
前記第１の地点は、有料道路上の施設としてのパーキングエリアであること
を特徴とする請求項１２に記載の車載用ナビゲーション装置。
【請求項１４】
前記第１の地点は、有料道路上の施設としてのパーキングエリア内の特定の施設であること
を特徴とする請求項１２に記載の車載用ナビゲーション装置。
【請求項１５】
前記第１の地点は、有料道路上の施設としてのサービスエリアであること
を特徴とする請求項１２に記載の車載用ナビゲーション装置。
【請求項１６】
前記第１の地点は、有料道路上の施設としてのサービスエリア内の特定の施設であること
を特徴とする請求項１２に記載の車載用ナビゲーション装置。
【請求項１７】
前記通行料金提示装置は、
前記通行料金算出装置によって算出された前記出入口料金所不特定有料道路の通行料金を、前記出入口料金所不特定有料道路を含む前記経路に沿って前記目的地としての前記第１の地点に赴く場合に課される料金の最低額を示す態様で提示すること
を特徴とする請求項１１乃至請求項１６のいずれか１項に記載の車載用ナビゲーション装置。
【請求項１８】
前記経路探索装置の探索結果を、経路誘導の対象の候補として表示部に表示する第２の探索結果表示装置を備え、
前記通行料金提示装置は、
前記通行料金算出装置の算出結果を、前記第２の探索結果表示装置によって表示される前記経路探索装置の探索結果と対応させた状態で当該探索結果とともに表示することにより、前記通行料金算出装置の算出結果を提示し、その際に、前記経路探索装置によって探索された前記経路に前記出入口料金所不特定有料道路が含まれている場合には、前記出入口料金所不特定有料道路の通行料金を、当該経路に沿って前記目的地としての前記第１の地点に赴く場合に課される料金の最低額を示す表示態様で表示すること
を特徴とする請求項１７に記載の車載用ナビゲーション装置。
【発明の詳細な説明】
【技術分野】
【０００１】
本発明は、車載用ナビゲーション装置に係り、特に、有料道路の通行料金をユーザに提示するのに好適な車載用ナビゲーション装置に関する。
【背景技術】
【０００２】
従来から、車載用ナビゲーション装置においては、タッチパネルやリモコン等の入力操作装置を用いたユーザによる入力操作に応じて目的地を設定した上で、自車位置から設定された目的地までの経路を地図データに基づいて探索し、探索された経路を、車載用ナビゲーション装置による経路誘導（すなわちルート案内）が行われる経路の候補としてディスプレイに表示することが行われていた。
【０００３】
図７は、このような経路の探索結果の一例としての探索結果表示画面１を示したものである。この探索結果表示画面１には、目的地までの経路の探索結果として、推奨経路、一般道優先経路、距離優先経路、道幅優先経路および別ルートからなる５ルートの探索結果が示されている。ここで、推奨経路は、車載用ナビゲーション装置が推奨する経路を探索する旨の探索条件の下で探索された経路である。また、一般道優先経路は、一般道を優先的に通行する経路を探索する旨の探索条件の下で探索された経路である。さらに、距離優先経路は、目的地まで最短距離で到達する経路を探索する旨の探索条件の下で探索された経路である。さらにまた、道幅優先経路は、道幅が広い道路を優先的に通行する旨の探索条件の下で探索された経路である。また、別ルートは、推奨経路とは別の所定の経路計算アルゴリズムによって探索された経路である。
【０００４】
より具体的には、探索結果表示画面１には、５ルートの探索結果として、地図上に重畳表示された５ルートのそれぞれの経路画像２と、５ルートのリスト画面３とが示されている。リスト画面３は、５ルートのそれぞれに個別のリスト項目４を表示することによって構成されており、各リスト項目４には、５ルートのそれぞれの種類（探索条件）、所要走行時間、通行料金および所要走行距離が表記されている。各リスト項目４は、タッチパネルやリモコン等の入力操作装置によって選択することが可能とされている。
【０００５】
そして、ユーザが、このような探索結果表示画面１に基づいて、５ルートのうちのいずれの経路を走行したいかを判断した上で、リスト画面３から所望の経路に対応するリスト項目４を選択するとともに、図７に示されている案内開始ボタン５を操作することにより、選択されたリスト項目４に対応する経路に沿った経路誘導が開始されることになる。
【０００６】
ここで、リスト項目４に表記されている通行料金は、探索された経路に含まれる高速道路等の有料道路の通行料金に相当するが、このような通行料金は、地図データに含まれる有料道路の入口料金所の情報（入口料金所の名称や位置等）および出口料金所の情報（出口料金所の名称や位置等）と、これら入口料金所の情報および出口料金所の情報に対応する通行料金情報とに基づいて算出されていた。
【０００７】
なお、探索された経路の通行料金をユーザに提示する技術は、これまでにも種々提案されている(例えば、特許文献１乃至３参照）。
【先行技術文献】
【特許文献】
【０００８】
【特許文献１】特開２００３−１６１６３０号公報
【特許文献２】特開２００５−２９１７６８号公報
【特許文献３】特開２００９−１４４２７号公報
【発明の概要】
【発明が解決しようとする課題】
【０００９】
しかしながら、従来は、探索された経路に、入口料金所および出口料金所の少なくとも一方が当該経路上において特定されていない有料道路であって、その始端部および終端部の少なくとも一方が有料道路上の地点となるような有料道路が含まれている場合には、入口料金所の情報または出口料金所の情報を地図データから取得することができなかった。ただし、入口料金所および出口料金所は有料道路上の地点ではないものとする（以下、同様）。
【００１０】
例えば、目的地が有料道路上の地点（パーキングエリア等）の場合には、探索された経路に、出口料金所が特定されていない有料道路であって、有料道路上の地点（目的地）を終端部とした有料道路が含まれることになり、このような場合には、出口料金所の情報を取得することができなかった。
【００１１】
また、目的地の設定にともなう経路の探索が有料道路上の地点において行われた場合には、探索された経路に、入口料金所が特定されていない有料道路であって、有料道路上の地点（経路の探索地点）を始端部とした有料道路が含まれることになり、このような場合には、入口料金所の情報を取得することができなかった。
【００１２】
したがって、従来は、探索された経路に、入口料金所および出口料金所の少なくとも一方が当該経路上において特定されていない有料道路であって、その始端部および終端部の少なくとも一方が有料道路上の地点となるような有料道路が含まれている場合には、通行料金を算出してユーザに提示することができないといった問題が生じていた。
【００１３】
なお、特許文献２および特許文献３には、探索された経路に含まれる有料道路が新設のものである等の事情によって、料金所に対応する通行料金情報を取得することができない場合に、経路中の通行料金の算出が可能な区間の通行料金のみを算出して最低料金として表示する技術や、仮の料金所を設定して通行料金を算出する技術が提案されている。しかし、これら特許文献２および特許文献３においては、探索された経路に含まれる有料道路が、入口料金所または出口料金所を区切り（端部）とするものだけしか基本的に想定されていないため、これらの技術を以てしてもなお、前述した問題を有効に解決することはできなかった。
【００１４】
そこで、本発明は、このような問題点に鑑みなされたものであり、探索された経路に、入口料金所および出口料金所の少なくとも一方が当該経路上において特定されていない有料道路であって、その始端部および終端部の少なくとも一方が有料道路上の地点となるような有料道路が含まれている場合であっても、有料道路の通行料金をユーザに把握させることができ、ひいては、ユーザの金銭的な不安を和らげることができるとともに、探索された経路が有料道路を含まない経路であるとの誤認が生じることを未然に回避することができる車載用ナビゲーション装置を提供することを目的とするものである。
【課題を解決するための手段】
【００１５】
前述した目的を達成するため、本発明に係る車載用ナビゲーション装置は、有料道路の入口料金所に関する情報および前記有料道路の出口料金所に関する情報を含む地図データが記憶された地図データ記憶装置と、前記有料道路の通行料金を示す通行料金情報が前記入口料金所に関する情報および前記出口料金所に関する情報と対応した状態で記憶された通行料金情報記憶装置と、自車位置を検出する自車位置検出装置と、目的地を設定する目的地設定装置と、前記自車位置検出装置によって検出された前記自車位置から前記目的地設定装置によって設定された前記目的地までの経路を前記地図データ記憶装置に記憶されている前記地図データに基づいて探索する経路探索装置と、この経路探索装置によって探索された前記経路に有料道路が含まれている場合に、前記地図データ記憶装置に記憶されている当該有料道路の前記入口料金所に関する情報、前記出口料金所に関する情報およびこれらの情報に対応する前記通行料金情報記憶装置に記憶されている前記通行料金情報に基づいて、当該有料道路の通行料金を算出する通行料金算出装置と、この通行料金算出装置によって算出された前記通行料金をユーザに提示する通行料金提示装置とを備えた車載用ナビゲーション装置であって、前記通行料金算出装置は、前記経路探索装置によって探索された前記経路に、入口料金所および出口料金所の少なくとも一方が当該経路上において特定されていないような有料道路であって、その始端部および終端部の少なくとも一方が有料道路上の地点となるような有料道路である料金所不特定有料道路が含まれている場合には、前記料金所不特定有料道路に対してその特定されていない料金所側の位置に存在する料金所を、前記料金所不特定有料道路における特定されていない料金所に代替する代替料金所と決定した上で、前記地図データ記憶装置に記憶されている前記地図データにおける前記決定された前記代替料金所に関する情報を、前記料金所不特定有料道路の通行料金の算出に用いることを特徴としている。
【００１６】
そして、このような構成によれば、経路探索装置によって探索された経路に料金所不特定有料道路が含まれている場合には、通行料金算出装置により、料金所不特定有料道路に対してその特定されていない料金所側の位置に存在する料金所を代替料金所と決定した上で、決定された代替料金所に関する情報を用いて、料金所不特定有料道路の通行料金を算出することができるので、探索された経路に料金所不特定有料道路が含まれている場合であっても、有料道路の通行料金をユーザに把握させることができ、ひいては、ユーザの金銭的な不安を和らげることができるとともに、探索された経路が有料道路を含まない経路であるとの誤認が生じることを未然に回避することができる。
【００１７】
また、前記通行料金算出装置は、前記目的地設定装置によって設定された前記目的地が有料道路上の地点であることによって、前記経路探索装置によって探索された前記経路に、前記料金所不特定有料道路として、当該経路上において入口料金所が特定されているとともに出口料金所が特定されていないような前記目的地を終端部とした有料道路である出口料金所不特定有料道路が含まれている場合には、この出口料金所不特定有料道路に対して下流側の位置に存在する当該出口料金所不特定有料道路に最も近い出口料金所を、前記代替料金所としての前記出口料金所不特定有料道路における特定されていない出口料金所に代替する代替出口料金所と決定した上で、前記地図データ記憶装置に記憶されている前記地図データにおける前記出口料金所不特定有料道路の入口料金所に関する情報、前記決定された前記代替出口料金所に関する情報およびこれらの情報に対応する前記通行料金情報記憶装置に記憶されている前記通行料金情報に基づいて、前記出口料金所不特定有料道路の通行料金を算出してもよい。
【００１８】
そして、このような構成によれば、経路探索装置によって探索された経路に目的地としての有料道路上の地点を終端部とした出口料金所不特定有料道路が含まれている場合には、通行料金算出装置により、出口料金所不特定有料道路に対して下流側の位置に存在する出口料金所不特定有料道路に最も近い出口料金所を代替出口料金所と決定した上で、出口料金所不特定有料道路の入口料金所に関する情報、決定された代替出口料金所に関する情報およびこれらの情報に対応する通行料金情報に基づいて出口料金所不特定有料道路の通行料金を算出することができるので、探索された経路に出口料金所不特定有料道路が含まれている場合であっても、有料道路の通行料金をユーザに把握させることができる。
【００１９】
さらに、前記目的地としての前記有料道路上の地点は、当該有料道路上の施設であってもよい。
【００２０】
そして、このような構成によれば、通行料金算出装置により、目的地としての有料道路上の施設を終端部とした出口料金所不特定有料道路の通行料金を確実に算出することができる。
【００２１】
さらにまた、前記有料道路上の施設は、パーキングエリアであってもよい。
【００２２】
そして、このような構成によれば、通行料金算出装置により、目的地としてのパーキングエリアを終端部とした出口料金所不特定有料道路の通行料金を確実に算出することができる。
【００２３】
また、前記有料道路上の施設は、パーキングエリア内の特定の施設であってもよい。
【００２４】
そして、このような構成によれば、通行料金算出装置により、目的地としてのパーキングエリア内の特定の施設を終端部とした出口料金所不特定有料道路の通行料金を確実に算出することができる。
【００２５】
さらに、前記有料道路上の施設は、サービスエリアであってもよい。
【００２６】
そして、このような構成によれば、通行料金算出装置により、目的地としてのサービスエリアを終端部とした出口料金所不特定有料道路の通行料金を確実に算出することができる。
【００２７】
さらにまた、前記有料道路上の施設は、サービスエリア内の特定の施設であってもよい。
【００２８】
そして、このような構成によれば、通行料金算出装置により、目的地としてのサービスエリア内の特定の施設を終端部とした出口料金所不特定有料道路の通行料金を確実に算出することができる。
【００２９】
また、前記通行料金提示装置は、前記通行料金算出装置によって算出された前記出口料金所不特定有料道路の通行料金を、前記出口料金所不特定有料道路を含む前記経路に沿って前記目的地に赴く場合に課される料金の最低額を示す態様で提示してもよい。
【００３０】
そして、このような構成によれば、通行料金提示装置により、通行料金算出装置によって算出された出口料金所不特定有料道路の通行料金を、出口料金所不特定有料道路を含む経路に沿って目的地に赴く場合に課される料金の最低額を示す態様で提示することができるので、ユーザが、目的地としての有料道路上の地点に赴く場合に課される料金の最低額を確実に把握することができる。
【００３１】
さらに、前記経路探索装置の探索結果を、経路誘導の対象の候補として表示部に表示する第１の探索結果表示装置を備え、前記通行料金提示装置は、前記通行料金算出装置の算出結果を、前記第１の探索結果表示装置によって表示される前記経路探索装置の探索結果と対応させた状態で当該探索結果とともに表示することにより、前記通行料金算出装置の算出結果を提示し、その際に、前記経路探索装置によって探索された前記経路に前記出口料金所不特定有料道路が含まれている場合には、前記出口料金所不特定有料道路の通行料金を、当該経路に沿って前記目的地に赴く場合に課される料金の最低額を示す表示態様で表示してもよい。
【００３２】
そして、このような構成によれば、通行料金提示装置により、通行料金算出装置によって算出された出口料金所不特定有料道路の通行料金を、第１の探索結果表示装置によって表示される経路の探索結果と対応させた状態で当該経路に沿って目的地に赴く場合に課される料金の最低額を示す表示態様で表示することができるので、ユーザが、目的地としての有料道路上の地点に赴く場合に課される料金の最低額をさらに簡便かつ確実に把握することができる。
【００３３】
さらにまた、前記通行料金算出装置は、自車両が入口料金所を通って有料道路に進入した際に、当該入口料金所の識別情報を保持する第１の入口料金所情報保持装置を備え、前記目的地設定装置による前記目的地の設定にともなう前記経路探索装置による前記経路の探索が有料道路上の地点において行われたことによって、当該経路に、前記料金所不特定有料道路として、当該経路上において出口料金所が特定されているとともに入口料金所が特定されていないような前記経路の探索が行われた前記地点を始端部とした有料道路である入口料金所不特定有料道路が含まれている場合には、前記入口料金所不特定有料道路に対して上流側の位置に存在する前記第１の入口料金所情報保持装置によって前記識別情報が保持されている入口料金所を、前記代替料金所としての前記入口料金所不特定有料道路における特定されていない入口料金所に代替する代替入口料金所と決定した上で、前記地図データ記憶装置に記憶されている前記地図データにおける前記決定された前記代替入口料金所に関する情報、前記入口料金所不特定有料道路の出口料金所に関する情報およびこれらの情報に対応する前記通行料金情報記憶装置に記憶されている前記通行料金情報に基づいて、前記入口料金所不特定有料道路の通行料金を算出してもよい。
【００３４】
そして、このような構成によれば、経路探索装置によって探索された経路に、この経路の探索が行われた有料道路上の地点を始端部とした入口料金所不特定有料道路が含まれている場合には、通行料金算出装置により、入口料金所不特定有料道路に対して上流側の位置に存在する第１の入口料金所情報保持装置によって識別情報が保持されている入口料金所を代替入口料金所と決定した上で、決定された代替入口料金所に関する情報、入口料金所不特定有料道路の出口料金所に関する情報およびこれらの情報に対応する通行料金情報に基づいて入口料金所不特定有料道路の通行料金を算出することができるので、探索された経路に入口料金所不特定有料道路が含まれている場合であっても、有料道路の通行料金をユーザに把握させることができる。
【００３５】
また、前記通行料金算出装置は、自車両が入口料金所を通って有料道路に進入した際に、当該入口料金所の識別情報を保持する第２の入口料金所情報保持装置を備え、前記目的地設定装置によって設定された前記目的地が有料道路上の第１の地点であり、かつ、この第１の地点を目的地とした前記経路探索装置による前記経路の探索が有料道路上の第２の地点において行われたことによって、当該経路に、前記料金所不特定有料道路として、当該経路上において入口料金所および出口料金所の双方が特定されていないような前記第２の地点を始端部とするとともに前記第１の地点を終端部とした有料道路である出入口料金所不特定有料道路が含まれている場合には、前記出入口料金所不特定有料道路に対して上流側の位置に存在する前記第２の入口料金所情報保持装置によって前記識別情報が保持されている入口料金所を、前記代替料金所としての前記出入口料金所不特定有料道路における特定されていない入口料金所に代替する代替入口料金所と決定し、かつ、前記出入口料金所不特定有料道路に対して下流側の位置に存在する当該出入口料金所不特定有料道路に最も近い出口料金所を、前記代替料金所としての前記出入口料金所不特定有料道路における特定されていない出口料金所に代替する代替出口料金所と決定した上で、前記地図データ記憶装置に記憶されている前記地図データにおける前記決定された前記代替入口料金所に関する情報、前記決定された前記代替出口料金所に関する情報およびこれらの情報に対応する前記通行料金情報記憶装置に記憶されている前記通行料金情報に基づいて、前記出入口料金所不特定有料道路の通行料金を算出してもよい。
【００３６】
そして、このような構成によれば、経路探索装置によって探索された経路に、この経路の探索が行われた有料道路上の第２の地点を始端部とするとともに目的地としての有料道路上の第１の地点を終端部とした出入口料金所不特定有料道路が含まれている場合には、通行料金算出装置により、出入口料金所不特定有料道路に対して上流側の位置に存在する第２の入口料金所情報保持装置によって識別情報が保持されている入口料金所を代替入口料金所と決定し、かつ、出入口料金所不特定有料道路に対して下流側の位置に存在する当該出入口料金所不特定有料道路に最も近い出口料金所を代替出口料金所と決定した上で、決定された代替入口料金所に関する情報、決定された代替出口料金所に関する情報およびこれらの情報に対応する通行料金情報に基づいて出入口料金所不特定有料道路の通行料金を算出することができるので、探索された経路に出入口料金所不特定有料道路が含まれている場合であっても、有料道路の通行料金をユーザに把握させることができる。
【００３７】
さらに、前記第１の地点は、有料道路上の施設であってもよい。
【００３８】
そして、このような構成によれば、通行料金算出装置により、経路の探索が行われた第２の地点を始端部とするとともに目的地としての有料道路上の施設を終端部とした出入口料金所不特定有料道路の通行料金を確実に算出することができる。
【００３９】
さらにまた、前記第１の地点は、有料道路上の施設としてのパーキングエリアであってもよい。
【００４０】
そして、このような構成によれば、通行料金算出装置により、経路の探索が行われた第２の地点を始端部とするとともに目的地としてのパーキングエリアを終端部とした出入口料金所不特定有料道路の通行料金を確実に算出することができる。
【００４１】
また、前記第１の地点は、有料道路上の施設としてのパーキングエリア内の特定の施設であってもよい。
【００４２】
そして、このような構成によれば、通行料金算出装置により、経路の探索が行われた第２の地点を始端部とするとともに目的地としてのパーキングエリア内の特定の施設を終端部とした出入口料金所不特定有料道路の通行料金を確実に算出することができる。
【００４３】
さらに、前記第１の地点は、有料道路上の施設としてのサービスエリアであってもよい。
【００４４】
そして、このような構成によれば、通行料金算出装置により、経路の探索が行われた第２の地点を始端部とするとともに目的地としてのサービスエリアを終端部とした出入口料金所不特定有料道路の通行料金を確実に算出することができる。
【００４５】
さらにまた、前記第１の地点は、有料道路上の施設としてのサービスエリア内の特定の施設であってもよい。
【００４６】
そして、このような構成によれば、通行料金算出装置により、経路の探索が行われた第２の地点を始端部とするとともに目的地としてのサービスエリア内の特定の施設を終端部とした出入口料金所不特定有料道路の通行料金を確実に算出することができる。
【００４７】
また、前記通行料金提示装置は、前記通行料金算出装置によって算出された前記出入口料金所不特定有料道路の通行料金を、前記出入口料金所不特定有料道路を含む前記経路に沿って前記目的地としての前記第１の地点に赴く場合に課される料金の最低額を示す態様で提示してもよい。
【００４８】
そして、このような構成によれば、通行料金提示装置により、通行料金算出装置によって算出された出入口料金所不特定有料道路の通行料金を、出入口料金所不特定有料道路を含む経路に沿って目的地に赴く場合に課される料金の最低額を示す態様で提示することができるので、ユーザが、経路の探索が行われた有料道路上の第２の地点から目的地としての有料道路上の第１の地点に赴く場合に課される料金の最低額を確実に把握することができる。
【００４９】
さらに、前記経路探索装置の探索結果を、経路誘導の対象の候補として表示部に表示する第２の探索結果表示装置を備え、前記通行料金提示装置は、前記通行料金算出装置の算出結果を、前記第２の探索結果表示装置によって表示される前記経路探索装置の探索結果と対応させた状態で当該探索結果とともに表示することにより、前記通行料金算出装置の算出結果を提示し、その際に、前記経路探索装置によって探索された前記経路に前記出入口料金所不特定有料道路が含まれている場合には、前記出入口料金所不特定有料道路の通行料金を、当該経路に沿って前記目的地としての前記第１の地点に赴く場合に課される料金の最低額を示す表示態様で表示してもよい。
【００５０】
そして、このような構成によれば、通行料金提示装置により、通行料金算出装置によって算出された出入口料金所不特定有料道路の通行料金を、第２の探索結果表示装置によって表示される経路の探索結果と対応させた状態で当該経路に沿って目的地に赴く場合に課される料金の最低額を示す表示態様で表示することができるので、ユーザが、経路の探索が行われた有料道路上の第２の地点から目的地としての有料道路上の第１の地点に赴く場合に課される料金の最低額をさらに簡便かつ確実に把握することができる。
【発明の効果】
【００５１】
本発明によれば、探索された経路に、入口料金所および出口料金所の少なくとも一方が当該経路上において特定されていない有料道路であって、その始端部および終端部の少なくとも一方が有料道路上の地点となるような有料道路が含まれている場合であっても、有料道路の通行料金をユーザに把握させることができ、ひいては、ユーザの金銭的な不安を和らげることができるとともに、探索された経路が有料道路を含まない経路であるとの誤認が生じることを未然に回避することができる。
【図面の簡単な説明】
【００５２】
【図１】本発明に係る車載用ナビゲーション装置の実施形態を示すブロック図
【図２】本発明に係る車載用ナビゲーション装置の実施形態において、ハードディスクドライブに記憶されているデータを示す概念図
【図３】本発明に係る車載用ナビゲーション装置の実施形態において、通行料金情報のデータ構造を示す概念図
【図４】本発明に係る車載用ナビゲーション装置の実施形態において、（ａ）は、探索経路に出口料金所不特定有料道路が含まれる状態を、（ｂ）は、探索経路に入口料金所不特定有料道路が含まれる状態を、（ｃ）は、探索経路に出入口料金所不特定有料道路が含まれる状態をそれぞれ示す概念図
【図５】本発明に係る車載用ナビゲーション装置の実施形態において、探索結果表示画面を有料道路の通行料金の表示態様とともに示す模式図
【図６】本発明に係る車載用ナビゲーション装置の実施形態を示すフローチャート
【図７】従来の有料道路の通行料金の表示態様の一例を示す模式図
【発明を実施するための形態】
【００５３】
以下、本発明に係る車載用ナビゲーション装置の実施形態について、図１乃至図６を参照して説明する。
【００５４】
なお、従来と基本的な構成が同一もしくはこれに類する箇所については、同一の符号を用いて説明する。
【００５５】
図１に示すように、本実施形態における車載用ナビゲーション装置７は、大別して、ナビゲーションメインユニット８と、このナビゲーションメインユニット８にそれぞれ接続されたＧＰＳレシーバ１０、自律航法センサ１１、入力操作部１２、表示部としてのディスプレイ１４、スピーカ１５およびＥＴＣ車載器１６とによって構成されている。
【００５６】
ＧＰＳレシーバ１０は、図示しないＧＰＳ衛星から配信されるＧＰＳ情報（時刻や軌道に関する情報）を受信し、受信したＧＰＳ情報をナビゲーションメインユニット８側に出力するようになっている。
【００５７】
自律航法センサ１１は、自車両の加速度、車速および自車方位等を検出し、検出結果をナビゲーションメインユニット８側に出力するようになっている。この自律航法センサ１１は、ジャイロセンサ等からなるものであってもよい。
【００５８】
入力操作部１２は、車載用ナビゲーション装置７に対する種々の入力操作に用いられるようになっている。この入力操作部１２は、リモコン、ディスプレイ１４のタッチパネル、リニアエンコーダまたはロータリエンコーダ等であってもよい。
【００５９】
次に、ナビゲーションメインユニット８について詳述すると、図１に示すように、ナビゲーションメインユニット８は、システムバス１７にそれぞれ接続されたナビＣＰＵ１８、ＲＯＭ１９、ＲＡＭ２０およびハードディスクドライブ（ＨＤＤ）２１によって構成されている。
【００６０】
ここで、ナビＣＰＵ１８は、地図表示機能、自車位置算出機能、経路探索機能および経路誘導機能等の車載用ナビゲーション装置７の諸機能を実行するようになっている。
【００６１】
また、ＲＯＭ１９には、ナビＣＰＵ１８の実行プログラムが記憶されており、ナビＣＰＵ１８は、この実行プログラムを実行することによって車載用ナビゲーション装置７の機能を実行するようになっている。
【００６２】
さらに、ＲＡＭ２０は、ナビＣＰＵ１８による処理結果等のデータの一時的な保存等に用いられるようになっている。
【００６３】
さらにまた、ハードディスクドライブ２１は、地図データ記憶装置として機能するようになっており、図２に示すように、ハードディスクドライブ２１には、地図データベース（地図ＤＢ）が記憶されている。図２に示すように、地図データベースには、道路データ、背景データ、道路ネットワークデータおよび検索データ等からなる地図データが格納されている。また、図２に示すように、地図データには、高速道路等の有料道路の入口料金所に関する情報（以下、入口料金所情報と称する）および出口料金所に関する情報（以下、出口料金所情報と称する）が含まれている。なお、入口料金所情報は、有料道路の入口料金所の名所および位置等の入口料金所を車載用ナビゲーション装置７が特定することができる情報であればよい。同様に、出口料金所情報は、有料道路の出口料金所の名所および位置等の出口料金所を車載用ナビゲーション装置７が特定することができる情報であればよい。
【００６４】
また、本実施形態において、ハードディスクドライブ２１は、通行料金情報記憶装置としても機能するようになっており、図２に示すように、ハードディスクドライブ２１には、通行料金データベース（ＤＢ）が記憶されている。図２に示すように、通行料金データベースには、有料道路の通行料金を示す通行料金情報が、地図データにおける入口料金所情報および出口料金所情報と対応した状態で格納されている。より具体的には、図３に示すように、通行料金情報は、有料道路（図３における高速道路）の通行料金が、入口料金所情報（図３におけるインターチェンジの名称）および出口料金所情報（図３におけるインターチェンジの名称）に対応した状態で格納されたテーブル形式の情報とされている。この図３における入口料金所情報（インターチェンジの名称）は、地図データにおける入口料金所情報に対応する識別コードを付与されること等によって地図データにおける入口料金所情報と互いに対応付けられている。また、図３における出口料金所情報（インターチェンジの名称）は、地図データにおける出口料金所情報に対応する識別コードを付与されること等によって地図データにおける出口料金所情報と互いに対応付けられている。そして、このような通行料金情報においては、入口料金所および出口料金所を特定することにより、特定された入口料金所から特定された出口料金所までの走行区間の通行料金を一義的に特定（算出）することができるようになっている。例えば、図３に示すように、入口料金所を第１のインターチェンジ（ＩＣ）に特定し、出口料金所を第２のインターチェンジ（ＩＣ）に特定すると、第１のインターチェンジから第２のインターチェンジまでの走行区間の通行料金５００円を特定することができる。
【００６５】
なお、通行料金情報は、自車両がＥＴＣを利用可能か否かによって内容が異なるものであってもよい。この場合には、自車両がＥＴＣを利用可能な場合に対応する通行料金情報（以下、ＥＴＣ対応料金情報と称する）と自車両がＥＴＣを利用不可能な場合に対応する通行料金情報（以下、ＥＴＣ非対応料金情報と称する）との双方をハードディスクドライブ２１に記憶させておくようにしてもよい。そして、後述する通行料金算出部２８が、探索経路に含まれる有料道路の通行料金を算出する際に、自車両がＥＴＣカードが差し込まれたＥＴＣ車載器１６を搭載していることがＥＴＣ車載器１６との通信によって検出された場合にはＥＴＣ対応料金情報を用いて通行料金を算出し、検出されなかった場合にはＥＴＣ非対応料金情報を用いて通行料金を算出するようにしてもよい。
【００６６】
次に、ナビＣＰＵ１８についてさらに詳述すると、図１に示すように、ナビＣＰＵ１８は、その機能ブロックの１つとして、自車位置検出装置としての自車位置算出部２４を有しており、この自車位置算出部２４には、ＧＰＳレシーバ１０から出力されたＧＰＳ情報および自律航法センサ１１から出力された検出結果が入力されるようになっている。そして、自車位置算出部２４は、ＧＰＳレシーバ１０側から入力されたＧＰＳ情報に基づいて、自車位置を絶対座標として算出（検出）する衛星航法を行うようになっている。また、自車位置算出部２４は、自律航法センサ１１側から入力された検出結果に基づいて、自車位置を前回の測位位置からの変化分である相対位置として算出（検出）する自律航法を行うようになっている。さらに、自車位置算出部２４は、ハードディスクドライブ２１に記憶されている地図データを用いることによって、衛星航法または自律航法によって算出された自車位置を地図データにおける該当する道路上の位置に補正するマップマッチング処理を行うようになっている。そして、自車位置算出部２４は、マップマッチング処理が適正に行われた場合には、マップマッチング処理後の自車位置を最終的な算出結果とするようになっている。
【００６７】
また、ナビＣＰＵ１８は、その機能ブロックの１つとして、目的地設定装置としての目的地設定部２５を有しており、この目的地設定部２５は、目的地設定用の操作画面をディスプレイ１４に表示した上で、この表示された操作画面に対する入力操作部１２を用いたユーザの入力操作に応じた目的地を設定するようになっている。なお、目的地設定用の操作画面は、例えば、目的地を名称、住所、電話番号またはカテゴリ等によって特定するための入力操作が可能な画面であってもよいし、あるいは、ディスプレイ１４に表示された地図上において入力操作部１２を用いて所望の地点を指定することによって、指定された地点を目的地に設定することができるような操作画面であってもよい。
【００６８】
さらに、ナビＣＰＵ１８は、その機能ブロックの１つとして、経路探索装置としての経路探索部２６を有している。この経路探索部２６は、自車位置算出部２４によって算出された自車位置から目的地設定部２５によって設定された目的地までの経路を、ハードディスクドライブ２１に記憶されている地図データに基づいて探索するようになっている。経路探索部２６は、図７に示した推奨経路、一般道優先経路、距離優先経路、道幅優先経路および別ルートからなる目的地までの５ルートを同時に探索するようにしてもよい。
【００６９】
さらにまた、ナビＣＰＵ１８は、その機能ブロックの１つとして、通行料金算出装置としての通行料金算出部２８を有している。この通行料金算出部２８は、経路探索部２６によって探索された経路（以下、探索経路と称する）に有料道路が含まれている場合に、ハードディスクドライブ２１に記憶されている地図データにおける当該有料道路の入口料金所情報および出口料金所情報と、これらの情報に対応するハードディスクドライブ２１に記憶されている通行料金情報（図３参照）とに基づいて、当該有料道路の通行料金を算出するようになっている。
【００７０】
また、ナビＣＰＵ１８は、その機能ブロックの１つとして、通行料金提示装置としての通行料金提示部２９を有しており、この通行料金提示部２９は、通行料金算出部２８によって算出された通行料金を、ディスプレイ１４への表示によってユーザに提示するようになっている。
【００７１】
そして、本実施形態において、通行料金算出部２８は、探索経路に、この探索経路上において入口料金所および出口料金所の少なくとも一方が特定されていないような有料道路であって、その始端部および終端部の少なくとも一方が有料道路上の地点となるような有料道路である料金所不特定有料道路が含まれている場合には、料金所不特定有料道路に対してその特定されていない料金所側の位置に存在する料金所を、料金所不特定有料道路における特定されていない料金所に代替する代替料金所と決定するようになっている。そして、このようにして代替料金所を決定した上で、通行料金算出部２８は、ハードディスクドライブ２１に記憶されている地図データにおける前記決定された代替料金所に関する情報を、料金所不特定有料道路の通行料金の算出に用いるようになっている。
【００７２】
ここで、探索経路に料金所不特定有料道路が含まれる第１の態様としては、探索経路に、料金所不特定有料道路として、探索経路上において入口料金所が特定されているとともに出口料金所が特定されていないような目的地を終端部とした有料道路である出口料金所不特定有料道路が含まれている態様がある。このような第１の態様は、図４（ａ）に示すように、目的地設定部２５によって設定された目的地が探索経路の終端部となる有料道路（図４における高速道路）上の（換言すれば、有料道路に属する）地点Ｐａであることによるものである。なお、図４（ａ）においては、第１のインターチェンジ（ＩＣ）が、出口料金所不特定有料道路の始端部となっている。
【００７３】
このように、探索経路に出口料金所不特定有料道路が含まれている場合には、通行料金算出部２８は、出口料金所不特定有料道路に対して下流側の位置に存在する出口料金所不特定有料道路に最も近い出口料金所を、代替料金所としての出口料金所不特定有料道路における特定されていない出口料金所に代替する代替出口料金所と決定するようになっている。なお、図４（ａ）においては、第４のインターチェンジ（ＩＣ）が代替出口料金所に決定されることになる。
【００７４】
そして、このようにして代替出口料金所を決定した上で、通行料金算出部２８は、ハードディスクドライブ２１に記憶されている地図データにおける出口料金所不特定有料道路の入口料金所情報、当該地図データにおける前記決定された代替出口料金所に関する出口料金所情報およびこれらの情報に対応するハードディスクドライブ２１に記憶されている通行料金情報に基づいて、出口料金所不特定有料道路の通行料金を算出するようになっている。なお、図４（ａ）においては、出口料金所不特定有料道路の入口料金所が第１のインターチェンジであるので、出口料金所不特定有料道路の通行料金は、第１のインターチェンジから第４のインターチェンジまでの通行料金（図３においては１５００円）として算出されることになる。
【００７５】
ただし、出口料金所不特定有料道路の終端部（目的地）となる有料道路上の地点Ｐａは、パーキングエリア、パーキングエリア内の特定の施設（売店等）、サービスエリアまたはサービスエリア内の特定の施設（給油所等）であってもよいし、あるいは、有料道路の走行車線上の地点であってもよい。
【００７６】
上記構成に加えて、さらに、本実施形態において、通行料金提示部２９は、通行料金算出部２８によって算出された出口料金所不特定有料道路の通行料金を、出口料金所不特定有料道路を含む探索経路に沿って目的地に赴く場合に課される料金の最低額を示す態様で提示するように構成されている。すなわち、図１に示すように、ナビＣＰＵ１８は、その機能ブロックの１つとして、第１の探索結果表示装置としての探索結果描画部３０を有しており、この探索結果描画部３０は、経路探索部２６の探索結果を、図５に示すように、経路誘導の対象の候補としてディスプレイ１４に表示するようになっている。なお、図５は、図７に示したものと基本的な画面構成が同様とされた探索結果表示画面３２であり、この探索結果表示画面３２には、推奨経路、一般道優先経路、距離優先経路、道幅優先経路および別ルートからなる目的地までの５ルートの探索結果として、地図上に重畳表示された５ルートのそれぞれの経路画像２と、５ルートのリスト画面３３とが示されている。リスト画面３３は、５ルートのそれぞれに個別のリスト項目３４を表示することによって構成されており、各リスト項目３４には、５ルートのそれぞれの種類（探索条件）、所要走行時間および所要走行距離が表記されている。各リスト項目３４は、入力操作部１２を用いて選択することが可能とされている。そして、通行料金提示部２９は、通行料金算出部２８の算出結果を、探索結果描画部３０によって表示される経路探索部２６の探索結果と対応させた状態で当該探索結果とともに表示することにより、通行料金算出部２８の算出結果を提示するようになっている。また、通行料金提示部２９は、探索経路に出口料金所不特定有料道路が含まれている場合には、出口料金所不特定有料道路の通行料金を、出口料金所不特定有料道路を含む探索経路に沿って目的地に赴く場合に課される料金の最低額を示す表示態様で表示するようになっている。具体的には、図５においては、有料道路上の地点（図５におけるパーキングエリア：ＰＡ）を目的地とした出口料金所不特定有料道路をそれぞれ含む５ルートの探索結果のそれぞれのリスト項目３４上に、各ルートにそれぞれ対応する通行料金が表記されており、これらの通行料金は、通行料金の末尾に「〜」のマークが付加されていることによって、各ルートに沿って目的地まで赴く場合に課される最低額を示す表示態様で表記されている。なお、図５に示すように、各ルート同士の間で通行料金が異なるものもあるが、これは、例えば、出口料金所不特定有料道路の始端部となる入口料金所が異なることや、ルートによっては出口料金所不特定有料道路に加えて出口料金所不特定有料道路以外の他の種類の有料道路も含まれていることによるものである。前記他の種類の有料道路としては、入口料金所および出口料金所がともに特定された通常の有料道路または後述する入口料金所不特定有料道路を挙げることができる。このように、出口料金所不特定有料道路に加えて前記他の種類の有料道路が含まれる探索経路としては、例えば、一般道から一旦通常の有料道路を走行した後に通常の有料道路を降りて再び一般道を走行し、その後、出口料金所不特定有料道路を走行するような探索経路、あるいは、後述する入口料金所不特定有料道路を走行した後に入口料金所不特定有料道路を降りて一般道を走行し、その後、出口料金所不特定有料道路を走行するような探索経路を挙げることができる。
【００７７】
なお、図５のリスト項目３４に示されるルートが、出口料金所不特定有料道路に加えて前記他の種類の有料道路を含むルートの場合には、当該リスト項目３４に表記された通行料金は、出口料金所不特定有料道路そのものの通行料金に、前記他の種類の有料道路の通行料金を加算した料金となる。このようなルートであっても、図５における通行料金の表示態様は、出口料金所不特定有料道路の通行料金をこの出口料金所不特定有料道路を含む探索経路に沿って目的地に赴く場合に課される通行料金の最低額を示す表示態様で（当該通行料金の最低額の一部としての表示態様で）表示したものであることに他ならない。
【００７８】
次に、探索経路に料金所不特定有料道路が含まれる第２の態様としては、探索経路に、料金所不特定有料道路として、探索経路上において出口料金所が特定されているとともに入口料金所が特定されていないような経路探索部２６による経路の探索が行われた地点を始端部とした有料道路である入口料金所不特定有料道路が含まれている態様がある。このような第２の態様は、図４（ｂ）に示すように、目的地設定部２５による目的地の設定にともなう経路探索部２６による経路の探索が探索経路の始端部となる有料道路上の地点Ｐｂにおいて行われたことによるものである。なお、図４（ｂ）においては、第４のインターチェンジ（ＩＣ）が、入口料金所不特定有料道路の終端部となっている。
【００７９】
そして、本実施形態においては、前述した出口料金所不特定有料道路の通行料金に加えて、更に、入口料金所不特定有料道路の通行料金を算出するための手段が講じられている。
【００８０】
すなわち、図１に示すように、通行料金算出部２８は、この通行料金算出部２８内の機能ブロックとして、第１の入口料金所情報保持装置としての入口料金所情報記録部３６を有している。この入口料金所情報記録部３６は、自車両が入口料金所を通って有料道路に進入した際に、この有料道路への自車両の進入を、ＥＴＣ車載器１６との通信によって検出するようになっている。なお、入口料金所情報記録部３６は、有料道路への自車両の進入を、自車位置算出部２４の算出結果に基づいて検出するようにしてもよい。そして、入口料金所情報記録部３６は、有料道路への自車両の進入が検出された地点に設置されている入口料金所の識別情報を、ＥＴＣ車載器１６あるいは地図データから取得し、取得された識別情報をＲＡＭ２０やハードディスクドライブ２１等の記憶装置に通行料金算出部２８が読み出し可能な状態で記録することによって、当該識別情報を保持するようになっている。なお、入口料金所の識別情報としては、入口料金所の名称や位置等の車載用ナビゲーション装置７側において入口料金所を識別することが可能な情報であればよい。
【００８１】
そして、このような入口料金所情報記録部３６を備えた上で、通行料金算出部２８は、探索経路に入口料金所不特定有料道路が含まれている場合には、入口料金所不特定有料道路に対して上流側の位置に存在する入口料金所情報記録部３６によって識別情報が記録（保持）されている入口料金所を、代替料金所としての入口料金所不特定有料道路における特定されていない入口料金所に代替する代替入口料金所と決定するようになっている。なお、図４（ｂ）においては、第１のインターチェンジ（ＩＣ）が代替入口料金所に決定されることになる。
【００８２】
そして、このように代替入口料金所を決定した上で、通行料金算出部２８は、ハードディスクドライブ２１に記憶されている地図データにおける前記決定された代替入口料金所に関する入口料金所情報、当該地図データにおける入口料金所不特定有料道路の出口料金所情報およびこれらの情報に対応するハードディスクドライブ２１に記憶されている通行料金情報に基づいて、入口料金所不特定有料道路の通行料金を算出するようになっている。なお、図４（ｂ）においては、入口料金所不特定有料道路の出口料金所が第４のインターチェンジであるので、入口料金所不特定有料道路の通行料金は、第１のインターチェンジから第４のインターチェンジまでの通行料金（図３における１５００円）として算出されることになる。
【００８３】
ただし、入口料金所不特定有料道路の始端部となる有料道路上の地点Ｐｂは、パーキングエリア、パーキングエリア内の特定の施設（売店等）、サービスエリアまたはサービスエリア内の特定の施設（給油所等）であってもよいし、あるいは、有料道路の走行車線上の地点であってもよい。
【００８４】
ここで、入口料金所情報記録部３６は、有料道路の入口料金所の識別情報を記録した後に、ＥＴＣ車載器１６から取得された情報や自車位置算出部２４の算出結果から自車両が出口料金所を通って当該有料道路から離脱したことが検出された場合には、記憶装置に記録した入口料金所の識別情報を削除するようにしてもよい。そのようにすれば、記憶装置内には、入口料金所不特定有料道路の代替入口料金所として相応しい唯一の入口料金所の識別情報のみが保持されるため、通行料金算出部２８が代替入口料金所を決定する処理を効率的に行うことができるとともに、入口料金所の識別情報が記録される記憶装置の容量を削減することができる。あるいは、入口料金所情報記録部３６は、有料道路の入口料金所の識別情報を記憶装置に記録する際に、当該識別情報を、有料道路への自車両の進入日時（例えば、入口ＥＴＣゲートの通過日時）と対応させた状態で記録するようにし、通行料金算出部２８は、記憶装置に記録されている識別情報のうちの進入日時が最新の識別情報に対応する入口料金所を代替入口料金所に決定するようにしてもよい。
【００８５】
さらに、通行料金提示部２９は、通行料金算出部２８によって算出された入口料金所不特定有料道路の通行料金を、図５と同様に探索結果表示画面３２のリスト項目３４上に表記することによって提示することになる。ここで、代替入口料金所は、入口料金所不特定有料道路の上流側において自車両が実際に有料道路に進入した入口料金所であることから、探索経路に入口料金所不特定有料道路のみ、または、入口料金所不特定有料道路および前述した通常の有料道路のみが含まれる場合における通行料金算出部２８の算出結果は、当該探索経路に沿って目的地に赴く場合に課される実際の料金とみなすことができる。したがって、通行料金提示部２９は、探索経路に入口料金所不特定有料道路のみ、または、入口料金所不特定有料道路および通常の有料道路のみが含まれている場合には、通行料金算出部２８の算出結果を、最低額を示す態様ではなく、図７に示したものと同様の実際の金額を示す表示態様（「〜」のマークが付加されていない表示態様）で表示するようになっている。
【００８６】
次に、探索経路に料金所不特定有料道路が含まれる第３の態様としては、探索経路に、料金所不特定有料道路として、探索経路上において入口料金所および出口料金所の双方が特定されていないような経路探索部２６による経路の探索が行われた地点を始端部とするとともに目的地設定部２５によって設定された目的地を終端部とした有料道路である出入口料金所不特定有料道路が含まれている態様がある。このような第３の態様は、図４（ｃ）に示すように、目的地設定部２５によって設定された目的地が探索経路の終端部となる有料道路上の第１の地点Ｐ１であり、かつ、この第１の地点Ｐ１を目的地とした経路探索部２６による経路の探索が探索経路の始端部となる有料道路上の第２の地点Ｐ２において行われたことによるものである。なお、出入口料金所不特定有料道路は、探索経路の全体をなす道路となる。
【００８７】
そして、本実施形態においては、前述した出口料金所不特定有料道路および入口料金所不特定有料道路の通行料金に加えて、更に、出入口料金所不特定有料道路の通行料金を算出するための手段が講じられている。
【００８８】
すなわち、通行料金算出部２８は、探索経路に出入口料金所不特定有料道路が含まれている場合には、出入口料金所不特定有料道路に対して上流側の位置に存在する第２の入口料金所情報保持装置としての入口料金所情報記録部３６によって識別情報が記録（保持）されている入口料金所を、代替料金所としての出入口料金所不特定有料道路における特定されていない入口料金所に代替する代替入口料金所と決定するようになっている。なお、図４（ｃ）においては、第１のインターチェンジ（ＩＣ）が代替入口料金所に決定されることになる。
【００８９】
さらに、通行料金算出部２８は、探索経路に出入口料金所不特定有料道路が含まれている場合には、出入口料金所不特定有料道路に対して下流側の位置に存在する当該出入口料金所不特定有料道路に最も近い出口料金所を、代替料金所としての出入口料金所不特定有料道路における特定されていない出口料金所に代替する代替出口料金所と決定するようになっている。なお、なお、図４（ｃ）においては、第４のインターチェンジ（ＩＣ）が代替出口料金所に決定されることになる。
【００９０】
そして、このように代替入口料金所および代替出口料金所を決定した上で、通行料金算出部２８は、ハードディスクドライブ２１に記憶されている地図データにおける前記決定された代替入口料金所に関する入口料金所情報、当該地図データにおける前記決定された代替出口料金所に関する出口料金所情報およびこれらの情報に対応するハードディスクドライブ２１に記憶されている通行料金情報に基づいて、出入口料金所不特定有料道路の通行料金を算出するようになっている。なお、図４（ｃ）においては、出入口料金所不特定有料道路の通行料金は、第１のインターチェンジから第４のインターチェンジまでの通行料金（図３における１５００円）として算出されることになる。
【００９１】
ただし、出入口料金所不特定有料道路の終端部となる第１の地点Ｐ１は、パーキングエリア、パーキングエリア内の特定の施設（売店等）、サービスエリアまたはサービスエリア内の特定の施設（給油所等）であってもよいし、あるいは、有料道路の走行車線上の地点であってもよい。このことは、出入口料金所不特定有料道路の始端部となる第２の地点Ｐ２についても同様である。
【００９２】
さらに、通行料金提示部２９は、通行料金算出部２８によって算出された出入口料金所不特定有料道路の通行料金を、図５と同様に探索結果表示画面３２のリスト項目３４上に表記することによって提示することになる。このとき、通行料金提示部２９は、出入口料金所不特定有料道路の通行料金を、この出入口料金所不特定有料道路が含まれるルートに沿って目的地に赴く場合に課される料金の最低額を示す表示態様で表示するようになっている。この表示態様としては、図５と同様に、リスト項目３４に表記される通行料金の末尾に「〜」のマークを付加する表示態様を用いればよい。
【００９３】
図１に戻って、ナビＣＰＵ１８は、その機能ブロックの１つとしての経路誘導部３７を有しており、この経路誘導部３７は、経路探索部２６によって探索された経路に沿って自車両を目的地へと誘導する経路誘導（換言すればルート案内）を行うようになっている。なお、図５に示すような探索結果表示画面３２を表示する場合には、ユーザが、探索結果表示画面３２に基づいて、５ルートのうちのいずれの経路を走行したいかを判断した上で、リスト画面３３から所望の経路に対応するリスト項目３４を入力操作部１２を用いて選択するとともに、案内開始ボタン５を操作することにより、選択されたリスト項目３４に対応する経路に沿った経路誘導が開始されることになる。この経路誘導は、例えば、ディスプレイ１４に交差点拡大図を表示することや、スピーカ１５を介して交差点右左折案内用の音声を出力すること等によって行われるようになっている。
【００９４】
次に、本実施形態の主要な作用について説明する。
【００９５】
なお、初期状態において、入口料金所情報記録部３６は既に起動されており、自車両が入口料金所を通って有料道路に進入したことがＥＴＣ車載器１６あるいは自車位置算出部２４の算出結果（入口料金所に自車位置がマッチングされたこと）に基づいて検出された場合には、記憶装置に当該入口料金所の識別情報を記録するものとする。また、このとき、自車位置算出部２４も起動されており、所定時間ごとに自車位置の算出を逐次実行しているものとする。
【００９６】
そして、初期状態から、まず、図６のステップ１（ＳＴ１）においては、通行料金算出部２８により、目的地設定部２５によって目的地が設定されたか否かを判定し、肯定的な判定結果が得られた場合にはステップ２（ＳＴ２）に進み、否定的な判定結果が得られた場合にはステップ１（ＳＴ１）を繰り返す。
【００９７】
次いで、ステップ２（ＳＴ２）においては、経路探索部２６により、目的地の設定操作が行われた自車位置から設定された目的地までの経路を探索する。
【００９８】
次いで、ステップ３（ＳＴ３）においては、通行料金算出部２８により、ステップ２（ＳＴ２）において探索された探索経路に有料道路が含まれているか否かを判定し、肯定的な判定結果が得られた場合にはステップ４（ＳＴ４）に進み、否定的な判定結果が得られた場合には処理を終了する。
【００９９】
次いで、ステップ４（ＳＴ４）においては、通行料金算出部２８により、ステップ２（ＳＴ２）に示した経路の探索が有料道路上の地点で行われたか否かを判定し、肯定的な判定結果が得られた場合にはステップ５（ＳＴ５）に進み、否定的な判定結果が得られた場合にはステップ２１（ＳＴ２１）に進む。
【０１００】
ステップ５（ＳＴ５）においては、通行料金算出部２８により、目的地設定部２５によって設定された目的地が有料道路上の地点であるか否かを判定し、肯定的な判定結果が得られた場合にはステップ６（ＳＴ６）に進み、否定的な判定結果が得られた場合にはステップ１７（ＳＴ１７）に進む。ステップ１７（ＳＴ１７）に進む場合には、後述するステップ１７（ＳＴ１７）からステップ２０（ＳＴ２０）までの一連の処理が行われることになる。
【０１０１】
一方、ステップ２１（ＳＴ２１）においては、通行料金算出部２８により、目的地設定部２５によって設定された目的地が有料道路上の地点であるか否かを判定し、肯定的な判定結果が得られた場合にはステップ２２（ＳＴ２２）に進み、否定的な判定結果が得られた場合にはステップ２６（ＳＴ２６）に進む。ステップ２２（ＳＴ２２）に進む場合には、後述するステップ２２（ＳＴ２２）からステップ２５（ＳＴ２５）までの一連の処理が行われることになる。ステップ２６（ＳＴ２６）に進む場合には、後述するステップ２６（ＳＴ２６）からステップ２８（ＳＴ２８）までの一連の処理が行われることになる。
【０１０２】
次いで、ステップ６（ＳＴ６）においては、通行料金算出部２８により、ステップ２（ＳＴ２）において探索された探索経路が、経路の探索が行われた地点と目的地との間に一般道を挟む経路であるか否かを判定し、肯定的な判定結果が得られた場合には、ステップ７（ＳＴ７）に進み、否定的な判定結果が得られた場合にはステップ１２（ＳＴ１２）に進む。ステップ７（ＳＴ７）に進む場合には、後述するステップ７（ＳＴ７）からステップ１１（ＳＴ１１）までの一連の処理が行われることになる。また、ステップ１２（ＳＴ１２）に進む場合には、後述するステップ１２（ＳＴ１２）からステップ１６（ＳＴ１６）までの一連の処理が行われることになる。
【０１０３】
次に、便宜上、ステップ２２（ＳＴ２２）からステップ２５（ＳＴ２５）までの一連の処理について説明すると、まず、ステップ２２（ＳＴ２２）においては、通行料金算出部２８により、探索経路に出口料金所不特定有料道路が含まれていると判断する。
【０１０４】
次いで、ステップ２３（ＳＴ２３）においては、通行料金算出部２８により、目的地の設定結果とハードディスクドライブ２１に記憶されている地図データとを用いて出口料金所不特定有料道路の代替出口料金所を決定する。この代替出口料金所は、前述のように、出口料金所不特定有料道路に対して下流側の位置に存在する当該出口料金所不特定有料道路に最も近い出口料金所となる。
【０１０５】
次いで、ステップ２４（ＳＴ２４）においては、通行料金算出部２８により、出口料金所不特定有料道路の通行料金を算出する。この通行料金の算出は、前述のように、ハードディスクドライブ２１に記憶されている地図データにおける出口料金所不特定有料道路の入口料金所に関する入口料金所情報、当該地図データにおけるステップ２３（ＳＴ２３）において決定された代替出口料金所に関する出口料金所情報およびこれらの情報に対応するハードディスクドライブ２１に記憶されている通行料金情報に基づいて行う。なお、探索経路に出口料金所不特定有料道路に加えて通常の有料道路も含まれている場合には、通行料金算出部２８は、通常の有料道路の通行料金をあわせて算出すればよい。なお、探索経路に出口料金所不特定有料道路に加えて通常の有料道路も含まれているか否かの判定には、探索経路に通常の有料道路が含まれているか否かについての公知の判定方法を用いればよい。
【０１０６】
次いで、ステップ２５（ＳＴ２５）においては、通行料金提示部２９により、ステップ２４（ＳＴ２４）において算出された出口料金所不特定有料道路の通行料金をディスプレイ１４への表示（図５参照）によってユーザに提示して処理を終了する。このとき、通行料金提示部２９は、図５に示したように、出口料金所不特定有料道路の通行料金を、この出口料金所不特定有料道路を含む探索経路に沿って目的地に赴く場合に課される料金の最低額を示す表示態様で表示する。
【０１０７】
次に、ステップ１７（ＳＴ１７）からステップ２０（ＳＴ２０）までの一連の処理について説明すると、まず、ステップ１７（ＳＴ１７）においては、通行料金算出部２８により、探索経路に入口料金所不特定有料道路が含まれていると判断する。
【０１０８】
次いで、ステップ１８（ＳＴ１８）においては、通行料金算出部２８により、記憶装置から読み出した入口料金所の識別情報とハードディスクドライブ２１に記憶されている地図データとを用いて入口料金所不特定有料道路の代替入口料金所を決定する。この代替入口料金所は、前述のように、入口料金所不特定有料道路に対して上流側の位置に存在する入口料金所情報記録部３６によって識別情報が記録（保持）されている入口料金所となる。
【０１０９】
次いで、ステップ１９（ＳＴ１９）においては、通行料金算出部２８により、入口料金所不特定有料道路の通行料金を算出する。この通行料金の算出は、前述のように、ハードディスクドライブ２１に記憶されている地図データにおけるステップ１８（ＳＴ１８）において決定された代替入口料金所に関する入口料金所情報、当該地図データにおける入口料金所不特定有料道路の出口料金所情報およびこれらの情報に対応するハードディスクドライブ２１に記憶されている通行料金情報に基づいて行う。なお、探索経路に入口料金所不特定有料道路に加えて通常の有料道路も含まれている場合には、通行料金算出部２８は、通常の有料道路の通行料金をあわせて算出すればよい。
【０１１０】
次いで、ステップ２０（ＳＴ２０）においては、通行料金提示部２９により、ステップ１９（ＳＴ１９）において算出された入口料金所不特定有料道路の通行料金をディスプレイ１４への表示によってユーザに提示して処理を終了する。このとき、通行料金提示部２９は、図７に示したように、入口料金所不特定有料道路の通行料金を、この入口料金所不特定有料道路を含む探索経路に沿って目的地に赴く場合に課される実際の料金を示す表示態様（図５のような末尾に「〜」のマークが付加されていない態様）で表示する。
【０１１１】
次いで、ステップ１２（ＳＴ１２）からステップ１６（ＳＴ１６）までの一連の処理について説明すると、まず、ステップ１２（ＳＴ１２）においては、通行料金算出部２８により、探索経路に出入口料金所不特定有料道路が含まれている（換言すれば、探索経路が出入口料金所不特定有料道路である）と判断する。
【０１１２】
次いで、ステップ１３（ＳＴ１３）においては、通行料金算出部２８により、記憶装置から読み出した入口料金所の識別情報とハードディスクドライブ２１に記憶されている地図データとを用いて出入口料金所不特定有料道路の代替入口料金所を決定する。この代替入口料金所は、前述のように、出入口料金所不特定有料道路に対して上流側の位置に存在する入口料金所情報記録部３６によって識別情報が記録（保持）されている入口料金所となる。
【０１１３】
次いで、ステップ１４（ＳＴ１４）においては、通行料金算出部２８により、目的地の設定結果とハードディスクドライブ２１に記憶されている地図データとを用いて出入口料金所不特定有料道路の代替出口料金所を決定する。この代替出口料金所は、前述のように、出入口料金所不特定有料道路に対して下流側の位置に存在する当該出入口料金所不特定有料道路に最も近い出口料金所となる。
【０１１４】
次いで、ステップ１５（ＳＴ１５）においては、通行料金算出部２８により、出入口料金所不特定有料道路の通行料金を算出する。この通行料金の算出は、前述のように、ハードディスクドライブ２１に記憶されている地図データにおけるステップ１３（ＳＴ１３）において決定された代替入口料金所に関する入口料金所情報、当該地図データにおけるステップ１４（ＳＴ１４）において決定された代替出口料金所に関する出口料金所情報およびこれらの情報に対応するハードディスクドライブ２１に記憶されている通行料金情報に基づいて行う。
【０１１５】
次いで、ステップ１６（ＳＴ１６）においては、通行料金提示部２９により、ステップ１５（ＳＴ１５）において算出された出入口料金所不特定有料道路の通行料金を、ディスプレイ１４への表示によってユーザに提示して処理を終了する。
このとき、通行料金提示部２９は、図５に示したものと同様に、出入口料金所不特定有料道路の通行料金を、この出入口料金所不特定有料道路を含む探索経路に沿って目的地に赴く場合に課される料金の最低額を示す表示態様（例えば、通行料金の末尾に「〜」のマークが付加された表示態様）で表示する。
【０１１６】
次に、ステップ７（ＳＴ７）からステップ１１（ＳＴ１１）までの一連の処理について説明すると、まず、ステップ７（ＳＴ７）においては、通行料金算出部２８により、探索経路に入口料金所不特定有料道路および出口料金所不特定有料道路の双方が両者の間に一般道を挟んだ状態で含まれていると判断する。
【０１１７】
次いで、ステップ８（ＳＴ８）においては、通行料金算出部２８により、ステップ１８（ＳＴ１８）と同様の手法によって入口料金所不特定有料道路の代替入口料金所を決定する。
【０１１８】
次いで、ステップ９（ＳＴ９）においては、通行料金算出部２８により、ステップ２３（ＳＴ２３）と同様の手法によって出口料金所不特定有料道路の代替出口料金所を決定する。
【０１１９】
次いで、ステップ１０（ＳＴ１０）においては、通行料金算出部２８により、ステップ１９（ＳＴ１９）と同様の手法によって入口料金所不特定有料道路の通行料金を算出するとともに、ステップ２４（ＳＴ２４）と同様の手法によって出口料金所不特定有料道路の通行料金を算出する。
【０１２０】
次いで、ステップ１１（ＳＴ１１）においては、通行料金提示部２９により、入口料金所不特定有料道路の通行料金および出口料金所不特定有料道路の通行料金を、ディスプレイ１４への表示によってユーザに提示する。このとき、図５と同様の表示態様によって通行料金を表示する場合には、入口料金所不特定有料道路と出口料金所不特定有料道路との合計の通行料金がリスト項目３４上に表記されることになるが、このように、探索経路に入口料金所不特定有料道路と出口料金所不特定有料道路との双方が含まれる場合には、各有料道路の通行料金の内訳も表示するようにしてもよい。このことは、探索経路に通常の有料道路と入口料金所不特定有料道路との双方が含まれている場合、探索経路に通常の有料道路と出口料金所不特定有料道路との双方が含まれている場合、または、探索経路に通常の有料道路、入口料金所不特定有料道路および出口料金所不特定有料道路が含まれている場合においても同様である。
【０１２１】
次に、ステップ２６（ＳＴ２６）からステップ２８（ＳＴ２８）までの一連の処理について説明すると、まず、ステップ２６（ＳＴ２６）においては、通行料金算出部２８により、探索経路に通常の有料道路のみが含まれていると判断する。
【０１２２】
次いで、ステップ２７（ＳＴ２７）においては、通行料金算出部２８により、通常の有料道路の通行料金を、ハードディスクドライブ２１に記憶されている地図データにおける通常の有料道路の入口料金所情報、出口料金所情報およびこれらの情報に対応するハードディスクドライブ２１に記憶されている通行料金情報を用いて算出する。
【０１２３】
次いで、ステップ２８（ＳＴ２８）においては、ステップ２７（ＳＴ２７）において算出された通常の有料道路の通行料金を、図７に示したものと同様の表示態様でディスプレイ１４に表示することによってユーザに提示する。
【０１２４】
以上述べたように、本実施形態によれば、経路探索部２６によって探索された探索経路に、出口料金所不特定有料道路、入口料金所不特定有料道路または出入口料金所不特定有料道路が含まれている場合であっても、有料道路の通行料金をユーザに把握させることができ、ひいては、ユーザの金銭的な不安を和らげることができるとともに、探索された経路が有料道路を含まない経路であるとの誤認が生じることを未然に回避することができる。
【０１２５】
なお、本発明は前述した構成に限定されるものではなく、必要に応じて種々変更するようにしてもよい。
【０１２６】
例えば、有料道路の入口料金所や出口料金所にはスマートＩＣが含まれていてもよい。
【０１２７】
また、通行料金提示部２９は、通行料金算出部２８によって算出された通行料金を音声出力によってユーザに提示するようにしてもよい。
【符号の説明】
【０１２８】
７  車載用ナビゲーション装置
２１  ハードディスクドライブ
２４  自車位置算出部
２５  目的地設定部
２６  経路探索部
２８  通行料金算出部
２９  通行料金提示部
【図１】
2010256071.tif 000003
【図２】
2010256071.tif 000004
【図３】
2010256071.tif 000005
【図４】
2010256071.tif 000006
【図５】
2010256071.tif 000007
【図６】
2010256071.tif 000008
【図７】
2010256071.tif 000009